(57)【要約】【課題】撮影者に合わせて撮影指示用の操作子を変更可能な撮影装置及び操作子設定方法を提供する。【解決手段】複数の操作ボタンの操作毎に手ぶれ量を取得し、その中から最も手ぶれ量が少ない操作ボタンをシャッターボタンに設定するようにした。【選択図】図５
2007233135.tif 000002
【特許請求の範囲】
【請求項１】
撮影指示に基づき撮影する撮影手段と、
この撮影手段のぶれ量を検出するぶれ量検出手段と、
複数の操作子を有する操作手段と、
前記複数の操作子のうちのいずれか２つ以上の操作子の操作毎に、前記ぶれ量検出手段により前記撮影手段のぶれ量を取得し、ぶれ量が少ない操作子を撮影指示用の操作子に設定する操作子設定手段と
を備えることを特徴とする撮影装置。
【請求項２】
前記操作子設定手段は、ぶれ量が少ない操作子を特定した場合に、その操作子を通知する通知手段を有することを特徴とする請求項１に記載の撮影装置。
【請求項３】
前記通知手段は、撮影指示用の操作子に設定される操作子と、予め記憶されたぶれ対処用のアドバイス情報とを通知することを特徴とする請求項２に記載の撮影装置。
【請求項４】
前記通知手段は、前記ぶれ対処用のアドバイス情報として、撮影指示用の操作子に設定される操作子に合わせたアドバイス情報を通知することを特徴とする請求項３に記載の撮影装置。
【請求項５】
撮影指示に基づき撮影する撮影部と、撮影部のぶれ量を検出するぶれ検出部と、複数の操作子とを備える撮影装置の操作子設定方法において、
前記複数の操作子のうちのいずれか２つ以上の操作子の操作毎に、前記ぶれ検出部により前記撮影部のぶれ量を取得し、ぶれ量が少ない操作子を撮影指示用の操作子に設定する撮影装置の操作子設定方法。
【発明の詳細な説明】
【技術分野】
【０００１】
本発明は、撮影時のぶれを低減可能な撮影装置及びその操作子設定方法に関する。
【背景技術】
【０００２】
従来より、撮影指示を行うためのシャッターボタンを備え、このシャッターボタンを操作した際に生じる手ぶれを検知して撮影者に知らせる手ぶれ警告機能を有する撮影装置が知られている（例えば、特許文献１〜３）。
【特許文献１】特開平５−３１３２４１号公報
【特許文献２】特開平５−１５０３０９号公報
【特許文献３】特開昭６０−１４３３３０号公報
【発明の開示】
【発明が解決しようとする課題】
【０００３】
しかし、近年、カメラ付き携帯電話機やデジタルカメラの普及を背景として、カメラの操作に不慣れな者が多く存在し、また、撮影者にとってはシャッターボタンが操作しにくい位置にあり、ぶれの少ない画像を撮影するのが困難な場合があった。
本発明は、上述した事情に鑑みてなされたものであり、撮影者に合わせて撮影指示用の操作子を容易に設定することができる撮影装置及び操作子設定方法を提供することにある。
【課題を解決するための手段】
【０００４】
上述課題を解決するため、本発明は、撮影装置において、撮影指示に基づき撮影する撮影手段と、この撮影手段のぶれ量を検出するぶれ量検出手段と、複数の操作子を有する操作手段と、前記複数の操作子のうちのいずれか２つ以上の操作子の操作毎に、前記ぶれ量検出手段により前記撮影手段のぶれ量を取得し、ぶれ量が少ない操作子を撮影指示用の操作子に設定する操作子設定手段とを備えることを特徴とする。
この発明によれば、複数の操作子のうちのいずれか２つ以上の操作子の操作毎に、撮影手段のぶれ量を取得し、ぶれ量が少ない操作子を撮影指示用の操作子に設定するので、撮影者に合わせて最適な撮影指示用の操作子を容易に設定することができる。
【０００５】
上記構成において、前記操作子設定手段は、ぶれ量が少ない操作子を特定した場合に、その操作子を通知する通知手段を有することが好ましい。この構成によれば、ぶれ量が少ない操作子を通知するので、撮影者は撮影指示用の操作子をしることができる。
また、上記構成において、前記通知手段は、撮影指示用の操作子に設定される操作子と、予め記憶されたぶれ対処用のアドバイス情報とを通知することが好ましい。この構成によれば、撮影者が撮影指示用の操作子を認識できると共に、ぶれ対処用のアドバイス情報によりぶれの少ない画像を撮影することができる。
また、上記構成において、前記通知手段は、前記ぶれ対処用のアドバイス情報として、撮影指示用の操作子に設定される操作子に合わせたアドバイス情報を通知することが好ましい。この構成によれば、撮影指示用の操作子に合わせたアドバイス情報を通知することができ、撮影者はよりぶれの少ない画像を撮影することができる。
【０００６】
また、本発明は、撮影指示に基づき撮影する撮影部と、撮影部のぶれ量を検出するぶれ検出部と、複数の操作子とを備える撮影装置の操作子設定方法において、前記複数の操作子のうちのいずれか２つ以上の操作子の操作毎に、前記ぶれ検出部により前記撮影部のぶれ量を取得し、ぶれ量が少ない操作子を撮影指示用の操作子に設定することを特徴とする。
この発明によれば、複数の操作子のうちのいずれか２つ以上の操作子の操作毎に、撮影部のぶれ量を取得し、ぶれ量が少ない操作子を撮影指示用の操作子に設定するので、撮影者に合わせて最適な撮影指示用の操作子を容易に設定することができる。
【０００７】
本発明に係る撮影装置及びその操作子設定方法によれば、複数の操作子のうちのいずれか２つ以上の操作子の操作毎にぶれ量を取得し、ぶれ量が少ない操作子を撮影指示用の操作子に設定するので、撮影者に合わせて最適な撮影指示用の操作子を容易に設定することができる。
【発明を実施するための最良の形態】
【０００８】
以下、図面を参照して本発明の実施形態を詳述する。
図１は本発明の撮影装置の実施形態に係る携帯型電話装置の斜視図である。
この携帯型電話装置１０は、装置本体１１と、装置本体１１にヒンジ１２を介して開閉自在に連結された開閉体１３とを備え、装置本体１１には、図１及び図２に示すように、複数の操作ボタン４１〜４６を有する操作部４０と、マイク１５と、アンテナ１６とが設けられ、開閉体１３の表側には、各種情報を表示する第１表示部３０Ａとスピーカ１７とが設けられ、図２に示すように、この開閉体１３の裏側には、撮影部２０のレンズ部２０Ａと、第２表示部３０Ｂとか設けられている。
【０００９】
上記操作部４０は、図１に示すように、電話番号や文字入力用のテンキー４１と、テンキー４１の上方に配列されて電源のオンオフや発呼・着信応答用の操作ボタン４２と、この操作ボタン４２の上方に配置されるカーソルキー４３と、決定キー４４と、動作モード選択操作等のマクロ操作が割り当てられた操作ボタン４５ａ〜４５ｄと、装置本体１１の側面に配置される側面ボタン４６とを備えている。
【００１０】
図３は、携帯型電話装置１０の構成を示すブロック図である。
この携帯型電話装置１０は、操作部４０、音声入力部９１、音声出力部９２、通信部９０、通信部９０、撮影部２０、表示部３０、角速度検出部５０、制御部６０、外部記録再生部７０及び着脱自在なリムーバブルメモリ８０を備えている。
操作部４０は、複数の操作ボタン４１〜４６の操作を制御部６０に通知するものであり、音声入力部９１は、マイク１５と、マイク１５を介して入力した音声をアナログデジタル変換等して制御部６０に出力する図示せぬ回路部とを備え、音声出力部９２は、制御部６０から出力された音声をデジタルアナログ変換等する図示せぬ回路部と、この回路部を経た音声を放音するスピーカ１７とを備えている。
【００１１】
通信部９０は、この携帯型電話装置１０に規定された通信方式に従ってアンテナ１６を介して移動通信網との間で双方向の無線通信を行うものであり、ＲＦ部やベースバンド処理部等を備えている。
撮影部（撮影手段）２０は、光学系２１、イメージセンサ２２、アナログフロントエンド（ＡＦＥ）部２３、画像処理部２４及び圧縮・伸張部２５を有している。光学系２１は、複数のレンズ２１ａ、絞り２１ｂ等で構成され、制御部６０の制御の下、いずれかのレンズ２１ａと絞り２１ｂが駆動されて、被写体をイメージセンサ２２の受光面に結像させる。なお、本実施形態では、いわゆるデジタルカメラと略同等の機能を備えた光学ズーム可能な撮影部を備える場合を説明するが、単焦点の撮影部を備えるようにしてもよい。
【００１２】
イメージセンサ２２は、２次元空間に離散的に配置された光電変換素子とＣＣＤ（Charge Coupled Device）等の電荷転送素子とを備えた撮像素子であり、いわゆるＣＣＤイメージセンサ、ＣＭＯＳイメージセンサ等が適用されている。イメージセンサ２２は、制御部６０の制御の下、受光面に結像された被写体像を光電変換して得られる電荷を光電変換素子毎に一定時間蓄積し、光電変換素子毎の受光量に応じた電気信号を出力する。なお、イメージセンサ２２の露光量は、絞り２１ｂのＦ値や光学系２１とイメージセンサ２２との間に設けられる図示しないメカニカルシャッタの開放時間とで決定され、撮影時の露光量は、制御部６０が設定したシャッター速度（露出時間）等に基づいて決定される。また、イメージセンサ２２の露光時間はイメージセンサ２２の電荷蓄積時間自体を電気的に制御することによって調整してもよい。
【００１３】
ＡＦＥ部２３は、イメージセンサ２２から出力される電気信号をＡＤ変換器でデジタル信号に量子化してＲＡＷデータを出力し、画像処理部２４は、ＲＡＷデータに対し、３原色（ＲＧＢ）の濃淡レベルを持つカラー画像を形成する画像形成処理、ホワイトバランス補正、ガンマ補正等を施して画像データを出力する。
圧縮・伸張部２５は、画像処理部２４から出力された画像データを圧縮し、また、圧縮された画像データを伸張するものであり、圧縮した画像データは外部記録再生部７０に出力し、外部記録再生部７０は、制御部６０の制御の下、画像データをリムーバブルメモリ８０に記録する。また、外部記録再生部７０は、制御部６０の制御の下、リムーバブルメモリ８０に記録された圧縮画像データを読み出して圧縮・伸張部２５に出力する。
【００１４】
表示部３０は、第１表示部３０Ａ及び第２表示部３０Ｂを備え、これらは液晶表示装置で構成されている。この表示部３０は、制御部６０の制御の下、操作画面や撮影画像等の各種情報を表示する。
角速度検出部５０は、携帯型電話装置１０のぶれ量を検出するぶれ量検出手段として機能するものであり、図４に示すように、撮影対象のフレームＦＬの上下方向（以下、Ｘ軸と定義する）の角速度を検出するＸ軸ジャイロセンサ５１と、左右方向（以下、Ｙ軸と定義する）の角速度を検出するＹ軸ジャイロセンサ５２とを有している。この角速度検出部５０は、２つのジャイロセンサ５１、５２によりＸ軸及びＹ軸の各角速度に応じた電圧値の角速度検出信号を制御部６０に出力する。
【００１５】
制御部６０は、携帯型電話装置１０の各部を制御するコンピュータとして機能するものであり、図３に示すように、各種プログラムの実行や演算処理をするＣＰＵ６１と、このＣＰＵ６１が実行する制御プログラム１００や各種データを格納する書換可能なフラッシュＲＯＭ（以下、単に「ＲＯＭ」という）６２と、上記ＣＰＵ６１の演算結果や各種データを一時的に格納するためのワークエリアとして機能するＲＡＭ６３とを備えている。
【００１６】
この制御プログラム１００は、磁気記録媒体、光記録媒体又は半導体記録媒体等のコンピュータ読み取り可能な記録媒体１１０に記録して配布したり、通信ネットワーク上の配信サーバからダウンロード可能にすることができる。さらに、パーソナルコンピュータと本携帯型電話装置１０とを通信可能にケーブル等で接続し、パーソナルコンピュータで読み取られた記録媒体１１０の制御プログラム１００を携帯型電話装置１０に出力することで、ＲＯＭ（記憶手段）６２に制御プログラム１００を格納することも可能である。
上記制御部６０は、上記制御プログラムを実行することにより、ユーザの操作に従い、電話の着信や応答を行う電話モードや、電子メールの作成や送受信を行うメールモードや、撮影を行う撮影モードに移行する。そして、撮影モードの場合、制御部６０は、オートフォーカス調整（自動焦点調整）や自動露出（ＡＥ）演算等の処理を行って撮影画像を取得し、撮影中の画像を表示部３０に表示する。この場合、ユーザ（撮影者）は、このプレビュー画像を見て撮影の構図を決めたり、シャッターチャンスを定めることが可能となり、ユーザからの撮影指示に基づき撮影画像を取得してリムーバブルメモリ８０に記録する。
【００１７】
本実施形態では、上記制御プログラム１００の中に、撮影指示用の操作子（以下、シャッターボタンという）を設定するための制御プログラムが含まれ、ユーザが予め定めた操作を行うと、上記制御プログラムを実行してシャッターボタン決定モードに移行し、以下の処理を実行する。
図５はシャッターボタン決定モード時の動作を示すフローチャートである。
このモードの場合（ステップＳ１：YES）、制御部６０は、まず、予め設定した操作ボタン４１〜４６の全てについてぶれ量取得処理を実行したか否か判定し（ステップＳ２）、実行済みであれば処理を終了する一方、未実行であれば、操作ボタンの操作に相当する撮影操作が何回目か否かに応じて撮影操作を促す処理を実行する（ステップＳ３以降）。
【００１８】
具体的には、撮影操作が一回目であれば（ステップＳ３：YES）、操作ボタン４５ａ（図１参照）を操作して撮影を行うようメッセージや画像を表示部３０に表示して、ユーザに操作ボタン４５ａによる撮影操作を促す（ステップＳ４）。この場合、制御部６０は、角速度検出部５０を駆動して角速度検出信号の取り込みを開始すると共に、操作ボタン４５ａの操作を待ち受け、操作ボタン４５ａが操作されると（ステップＳ５）、そのタイミングの角速度検出信号からＸ軸及びＹ軸のそれぞれについて手ぶれに相当するぶれ量（以下、「手ぶれ量」という。）を算出し（ステップＳ６）、撮影終了と判断すると（ステップＳ７：YES）、算出した手ぶれ量をＲＡＭ６３に保存した後（ステップＳ８）、ステップＳ１の処理に移行する。
これにより、操作ボタン４５ａをシャッターボタンと見なした場合の手ぶれ量を検出してＲＡＭ６３に保存する。なお、保存する手ぶれ量は、Ｘ軸、Ｙ軸の各々の手ぶれ量でもよいし、Ｘ軸及びＹ軸の手ぶれ量の平均値としてもよい。
【００１９】
また、撮影操作が２回目であれば（ステップＳ９：YES）、制御部６０は、操作ボタン４５ｂ（図１参照）を操作して撮影を行うようメッセージ或いは画像を表示部３０に表示して、ユーザに一回目とは異なる操作ボタンで撮影操作を促す（ステップＳ１０）。この場合、指定した操作ボタン４５ｂが操作されると、制御部６０は、上述と同様に、その操作タイミングの角速度検出信号から手ぶれ量を検出して操作ボタン４５ｂを操作したときの手ぶれ量をＲＡＭ６３に保存する（ステップＳ５〜Ｓ８）。
【００２０】
また、撮影操作が３回目であれば（ステップＳ１１：YES）、制御部６０は、決定キー４４（図１参照）を操作して撮影を行うようメッセージ或いは画像を表示部３０に表示して、ユーザに一回目及び二回目とは異なる操作ボタンで撮影操作を促す（ステップＳ１２）。この場合、指定した決定キー４４が操作されると、制御部６０は、上述と同様に、決定キー４４を操作したときの手ぶれ量を検出してＲＡＭ６３に保存する（ステップＳ５〜Ｓ８）。
このようにして、制御部６０は、予め設定した全ての操作ボタン４１〜４６の操作後に手ぶれ量を取得するまで、ユーザに操作ボタンによる撮影操作を促すことにより、予め指定した全ての操作ボタン４１〜４６の操作毎の手ぶれ量を検出してＲＡＭ６３に保存する。
【００２１】
そして、全ての操作ボタン４１〜４６の操作毎に手ぶれ量を取得すると、ステップＳ２の判断が肯定結果（YES）と判定されるため、制御部６０は、ステップＳ２０の処理に移行し、取得した手ぶれ量の中から手ぶれ量が最も少なかった操作ボタンを特定し（ステップＳ２０）、その操作ボタンをユーザに通知する処理（ステップＳ２１）と、その操作ボタンをシャッターボタンに設定する処理（ステップＳ２２）とを実行する。
具体的には、上記ステップＳ２１の通知処理としては、例えば、手ぶれ量が最も少ないものが決定キー４４の場合、「決定キーをシャッターボタンに設定します」といったメッセージ、及び、決定キーの場所を通知する画像を表示し、上記ステップＳ２２の設定処理としては、各種指示に割り当てる操作ボタンを特定するためのテーブルデータに、撮影指示用の操作ボタンを決定キーに設定するキー設定処理を実行する。これにより、撮影モードの際に、決定キーがシャッターボタンとして機能し、ユーザは、手ぶれ量が最も少なかった決定キーの操作により撮影を行うことが可能になる。
【００２２】
以上説明したように、本実施形態によれば、複数の操作ボタン４１〜４６の操作毎に手ぶれ量を取得し、その中から最も手ぶれ量が少ない操作ボタンをシャッターボタンに設定するので、ユーザ（撮影者）に合わせて最適なシャッターボタンを容易に設定することができる。これにより、例えば、ユーザの手の大きさに合わせて操作し易い位置の操作ボタンをシャッターボタンに容易に設定することができ、ぶれの少ない画像の撮影が可能になる。
このため、仮にシャッターボタンを任意の操作ボタンに割り当て可能なカスタマイズ機能を具備するものがあったとしても、ユーザ自身がぶれの少ない操作ボタンを特定するのは困難な場合があり、しかも、カスタマイズ操作が煩雑な操作となり、適切なシャッターボタンを設定するのが困難になってしまうのに対し、本構成では、かかる者であっても容易に適切なシャッターボタンを設定することができる。この結果、撮影者の技量や知識によらず、任意の撮影者がぶれの少ない画像を撮影し易くなる。
【００２３】
（応用例）
上述の実施形態では、ぶれ量が少ない操作ボタンの通知のみを行う場合について述べたが、これに限らず、上記通知に加え、予め記憶されたぶれ対処用のアドバイス情報を通知してもよい。この場合、例えば、図６（ａ）に例示するように、手ぶれ低減に好適な撮影スタイルの画像（姿勢アドバイス）を表示することにより、最適な撮影スタイルを通知することができ、よりぶれを低減した撮影が可能になる。
また、上記アドバイス情報として、図６（ａ）に例示した携帯型電話装置１０を開いた状態で好適な撮影スタイルの画像と、図６（ｂ）に例示した携帯型電話装置１０を閉じた状態で好適な撮影スタイルの画像とを予め記憶しておき、操作ボタン４１〜４６のうち側面ボタン４６を除く操作ボタンがシャッターボタンに設定された場合には、図６（ａ）に示すアドバイス画像を表示し、側面ボタン４６がシャッターボタンに設定された場合は、図６（ｂ）に示すアドバイス画像を表示するようにしてもよい。
このように、シャッターボタンに設定される操作ボタンに合わせてアドバイス情報を通知することにより、より適切なアドバイス情報を通知することが可能である。また、アドバイス情報は、画像に限らず、例えば「わきを軽く締め、足を肩幅程度に開いて構える」といった文字情報や音声情報により通知してもよい。
【００２４】
また、上記実施形態では、予め設定した全ての操作ボタン４１〜４６の操作毎に手ぶれ量を検出する場合について説明したが、これに限らず、いずれか２つ以上の操作子についてのみ手ぶれ量を検出してその中から手ぶれ量が少ない操作子をシャッターボタンに設定してもよい。この場合、例えば、ぶれの少ない画像を撮影可能な手ぶれ閾値を予め設定しておき、この閾値を下回る操作ボタンが特定できれば、そこで他の操作ボタンの操作毎の手ぶれ量の取得処理を中断し、その操作ボタンをシャッターボタンに設定してもよい。
また、ユーザが任意の操作ボタンを操作して、その操作毎に手ぶれ量を検出し、その中から手ぶれか少ない操作ボタンをシャッターボタンに設定するようにしてもよい。
また、上述の実施形態では、上下方向（Ｘ軸）及び左右方向（Ｙ軸）のぶれをジャイロセンサで検出する場合を説明したが、これに限らず、さらに、奥行き方向（Ｚ軸）のぶれを検出してもよいし、また、上記いずれか１つの方向の手ぶれを検出してもよい。また、ジャイロセンサに限らず、加速度センサ等の他のぶれ量検出手段を適用してもよい。
【００２５】
また、上述の実施形態では、カメラ付き携帯型電話装置に本発明を適用した場合を例示したが、これに限らず、ぶれが問題となる撮影装置に広く適用することができる。例えば、デジタルカメラ、銀塩カメラ、カメラ付き或いはカメラを外付け可能なＰＤＡ及びノート型パソコン等に適用が可能である。
【図面の簡単な説明】
【００２６】
【図１】本発明の撮影装置の実施形態に係る携帯型電話装置の斜視図である。
【図２】携帯型電話装置を折り畳んだ状態を示す斜視図である。
【図３】携帯型電話装置の構成を示すブロック図である。
【図４】フレームとぶれの軸との関係を説明するための図である。
【図５】シャッターボタン決定モード時の動作を示すフローチャートである。
【図６】ａは携帯型電話装置を開いた状態で好適な撮影スタイルを示す図であり、ｂは携帯型電話装置１０を閉じた状態で好適な撮影スタイルを示す図である。
【符号の説明】
【００２７】
１０…携帯型電話装置（撮影装置）、１１…装置本体、１３…開閉体、２０…撮影部（撮影手段）、３０…表示部（通知手段）、４０…操作部（操作手段）、４１〜４６…操作ボタン（操作子）、５０…角速度検出部（ぶれ検出手段）、５１、５２…ジャイロセンサ、６０…制御部（操作子設定手段）、８０…リムーバブルメモリ、１００…制御プログラム、１１０…記録媒体。
【図１】
2007233135.tif 000003
【図２】
2007233135.tif 000004
【図３】
2007233135.tif 000005
【図４】
2007233135.tif 000006
【図５】
2007233135.tif 000007
【図６】
2007233135.tif 000008